(57)【特許請求の範囲】
【請求項１】
金属板を折り曲げ形成した台座金具と、金属板から形成した止め金具とから構成され、ガス・水道等の断面円形状配管を床・天井・壁等の取り付け面に固定する配管用サドルにおいて、
台座金具が、略中央部位にネジ止め用透孔が形成されている底板の両端から一対の段付き部を９０度の角度で立ち上がらせ、該一対の段付き部の外側に該段付き部に対し９０度の角度で一対の水平部を設け、該一対の水平部の外側から９０度の角度で一対の側板を立ち上がらせ、この一対の側板の一方の上部には前記止め金具の一端が蝶番部又は組式等の回動部を介して接続されており、側板の他方の上部には前記止め金具の他端を係止する２段以上の係合爪が設けられた構成を有しており、
止め金具が、一端が前記台座金具の一方の側板の上部に上記回動部を介して回動可能に接続されており、他端の近傍には前記台座金具の他方の側板を挿通すると共に該他方の側板に設けられている上記係合爪が引掛係止するスリット状透孔が形成されている構成を有しており、
台座金具の内側空間に配設された管を止め金具の回動操作により、該止め金具の他端近傍のスリット状透孔を台座金具の係合爪に引掛係止することで挟止固定する挟止固定構成を有しており、
前記２段以上の係合爪の各々は、配管軸方向と平行であると共に前記スリット状透孔が引掛係止する部分である平行辺部と、前記スリット状透孔の挿通前側である斜辺部と、から成る配管軸方向に突出する鋭角状突起であり、
前記挟止固定構成が、前記止め金具を前記蝶番部又は回動部を支点とする配管円周方向への回動操作により回動し、前記スリット状透孔に前記係合爪が挿通する時点で前記止め金具の回動軌跡を前記円周方向に交差する配管軸方向で且つ斜め方向である前記係合爪の斜辺部の斜辺に沿った方向として該斜辺部の先端を越える位置まで前記スリット状透孔を斜めに移動させ、該スリット状透孔が前記斜辺部の先端を越えた後に前記係合爪の平行辺部に沿って該平行辺部の付け根方向に移動して、前記止め金具のスリット状透孔を台座金具の係合爪に引掛係止し、前記一対の段付き部と一対の水平部との曲折点と、前記止め金具の中央部分との３点によって、前記底板、一対の段付き部、一対の水平部、一対の側板及び止め金具によって形成された略方形状空間に、断面円形状配管を狭止固定する構成であることを特徴とする配管用サドル。
【発明の詳細な説明】
【０００１】
【発明の属する技術分野】
本発明は、ガス・水道等の配管（サヤ管を含む）を床、天井、壁面等に固定するのに用いられる配管用サドルに関する。
【０００２】
【従来の技術】
従来、電気配線用の管や水道管或いはこれらの鞘管を床面等に固定するのに用いられる配管用サドルとしては、実開昭５４−１３４３２２号公報、実開昭６１−７５５７３号公報等に記載されているように、金属板をΩ型に形成し、Ω型部材の環状部分を管に取り付け、Ω型部材の水平脚部のそれぞれをコンクリートネジ等で床面に固定するものが利用されている。また、実開昭４９−１０４０１５号公報、実公平５−２０９４６号公報に記載されているように、Ω型部材及び台座を合成樹脂材で形成したものも知られている
【０００３】
【発明が解決しようとする課題】
配管作業は、機械化が困難で全て手作業で行われるため、取付強度を弱めることなく作業の容易性・簡易性が得られることを課題として配管用サドルの改良が様々に行われている。従来の配管用サドルでは、Ω型部材の水平脚部を２本のコンクリートネジ等で床面等に固定する手法が行われている。
【０００４】
床面等に仮配列した管に対して順次Ω型部材を取り付けて管の固定を行う手法では、管の保持を行いつつΩ型部材の脚部へのネジの締め付けを行わなければならないので、かなり煩雑である。
【０００５】
本発明は、上記に鑑み、使い勝手が良好で作業性が高い改良された配管用サドルを先に提案した（特願平８−１５８８６３号、同８−１６２２９６号及び同１０−１５８４２８号参照）。
【０００６】
そこで本発明は、当該先提案技術とは別なる構成によって、同一の課題を解決できる配管用サドルを提供することを目的とする。
【０００７】
【課題を解決するための手段】
上記本発明の課題は下記構成によって達成される。
１．金属板を折り曲げ形成した台座金具と、金属板から形成した止め金具とから構成され、ガス・水道等の断面円形状配管を床・天井・壁等の取り付け面に固定する配管用サドルにおいて、
台座金具が、略中央部位にネジ止め用透孔が形成されている底板の両端から一対の段付き部を９０度の角度で立ち上がらせ、該一対の段付き部の外側に該段付き部に対し９０度の角度で一対の水平部を設け、該一対の水平部の外側から９０度の角度で一対の側板を立ち上がらせ、この一対の側板の一方の上部には前記止め金具の一端が蝶番部又は組式等の回動部を介して接続されており、側板の他方の上部には前記止め金具の他端を係止する２段以上の係合爪が設けられた構成を有しており、
止め金具が、一端が前記台座金具の一方の側板の上部に上記回動部を介して回動可能に接続されており、他端の近傍には前記台座金具の他方の側板を挿通すると共に該他方の側板に設けられている上記係合爪が引掛係止するスリット状透孔が形成されている構成を有しており、
台座金具の内側空間に配設された管を止め金具の回動操作により、該止め金具の他端近傍のスリット状透孔を台座金具の係合爪に引掛係止することで挟止固定する挟止固定構成を有しており、
前記２段以上の係合爪の各々は、配管軸方向と平行であると共に前記スリット状透孔が引掛係止する部分である平行辺部と、前記スリット状透孔の挿通前側である斜辺部と、から成る配管軸方向に突出する鋭角状突起であり、
前記挟止固定構成が、前記止め金具を前記蝶番部又は回動部を支点とする配管円周方向への回動操作により回動し、前記スリット状透孔に前記係合爪が挿通する時点で前記止め金具の回動軌跡を前記円周方向に交差する配管軸方向で且つ斜め方向である前記係合爪の斜辺部の斜辺に沿った方向として該斜辺部の先端を越える位置まで前記スリット状透孔を斜めに移動させ、該スリット状透孔が前記斜辺部の先端を越えた後に前記係合爪の平行辺部に沿って該平行辺部の付け根方向に移動して、前記止め金具のスリット状透孔を台座金具の係合爪に引掛係止し、前記一対の段付き部と一対の水平部との曲折点と、前記止め金具の中央部分との３点によって、前記底板、一対の段付き部、一対の水平部、一対の側板及び止め金具によって形成された略方形状空間に、断面円形状配管を狭止固定する構成であることを特徴とする配管用サドル。
【０００９】
【発明の実施の態様】
以下、本発明の詳細について説明する。
【００１０】
図１は本発明に係る配管用サドルの一実施例を示す分解斜視図、図２は図１の配管用サドルの使用例を示す側面図、図３は図２の正面図、図４は図３の他の実施例を示す正面図である。
【００１１】
図１において、配管用サドル１は、台座金具１０と止め金具２０とから構成されており、台座金具１０は金属板を折り曲げ形成し、止め金具２０は金属板から形成したものである。
【００１２】
台座金具１０は、底板１１の略中央部位にネジ止め用透孔１２が形成されており、該底板１１の両端から一対の段付き部１３・１３を折り曲げ形成によって立ち上がらせ、該一対の段付き部１３・１３の外側に一対の水平部１４・１４を設け、該一対の水平部１４・１４の外側から一対の側板１５・１６を折り曲げ形成によって立ち上がらせている
【００１３】
一対の側板１５・１６の一方１５の上部には、止め金具２０の一端が蝶番部１７を介して接続されており、側板１５・１６の他方１６の上部には、止め金具２０の他端を係止する係合爪１８・１９が設けられている。尚、本実施例では、係合爪は１８と１９との計２つが設けられているが、３つ以上でもよい。
【００１４】
尚、上記蝶番部１７に代え、当業界において「組式」等と呼ばれる回動手段の如き、公知の回動部を採用してもよい。
【００１５】
止め金具２０は、一端２１が前記台座金具１０の一方の側板１５の上部に蝶番部１７を介して回動可能に接続されており、他端２２の近傍には前記台座金具１０の他方の側板１６を挿通すると共に該他方の側板１６に設けられている係合爪１８・１９が引掛係止するスリット状透孔２３が形成されている。本実施例では、スリット状透孔２３が引掛係止される係合爪が１８と１９の２つ設けられているが、スリット状透孔２３が実際に引掛係止するのは、この内の１つのみである。１８と１９のどちらに引掛係止するかは、挟止固定する管Ｐの直径によって決まる。即ち、本実施例用のように係合爪が２つある態様の場合、２つの異なる直径の管に対応することができる。
【００１６】
止め金具２０は蝶番部１７を支点とする回動操作により、該止め金具２０の他端２１近傍のスリット状透孔２３に台座金具１０の他方の側板１６をその先端から挿通し（ここまでは矢符Ｘ参照）、その後、係合爪１８（又は１９）をスリット状透孔２３の縁部に引掛係止する（矢符Ｙ参照）。この引掛係止により管Ｐを挟止固定することになる。
【００１７】
以下、実際の配管作業での利用法を説明する。
【００１８】
先ず、取付面（図２〜図４では天井面）３に配管のための墨出しが行われた後、墨に沿って所定の間隔で台座金具１０の取り付けが行われる。台座金具１０の取り付けは、底板１１に形成されているネジ止め用透孔１２を通してコンクリートくぎを打込むこと、或いは他の止め具を利用して行われる。この段階では、止め金具２０は、図３の仮想線で示す位置にある。
【００１９】
台座金具１０が取付面３に固定されると、台座金具１０の内側空間に下方から管Ｐが配設され、次いで、図３の仮想線で示す位置にある止め金具２０を、一端２１の蝶番１７を支点として回動し、該止め金具２０の他端２２の近傍に設けられているスリット状透孔２３に、台座金具１０の他方の側板１６をその先端から挿通させる。その後、該他方の側板１６に設けられている係合爪１８にスリット状透孔２３の縁を引掛係止する。この引掛係止により止め金具２０の略中央部が管Ｐを挟止固定することになる。
【００２０】
尚、管Ｐとして図２及び図３に示す実施例に用いたものとは異なる径のものを用いた場合を図４に示す。図４では、図２及び図３に示した管Ｐよりも大径の管Ｐを挟止固定している。この態様の場合、止め金具２０のスリット状透孔２３が引掛係止する係合爪は１８ではなく１９の方となる。
【００２１】
本発明によれば、金属板を折り曲げ形成しているため、該金属板が僅かに有している弾性によって管Ｐを締め付け乃至押し付け固定することができる。
【００２２】
【発明の効果】
本発明に係る配管用サドルによれば、配設した管を固定するのに、止め金具２０を回動するだけでよく、従来品のように管固定時におけるネジ止め等の作業が不要であるので、非常に使い勝手が良好となり、作業能率が向上される。
【００２３】
即ち、本発明によれば、先提案技術とは別なる構成で先提案技術と同様の効果を有する配管用サドルを提供することができる。
【図面の簡単な説明】
【図１】本発明に係る配管用サドルの一実施例を示す分解斜視図
【図２】図１の配管用サドルの使用例を示す側面図
【図３】図２の正面図
【図４】図３の他の実施例を示す正面図
【符号の説明】
１  配管用サドル
１０  台座金具
１１  底板
１２  ネジ止め用透孔
１３  段付き部
１４  水平部
１５  側板（一方）
１６  側板（他方）
１７  蝶番部等の回動部
１８  係合爪
１９  係合爪
２０  止め金具
２１  一端
２２  他端
２３  スリット状透孔
３  取付面
Ｐ  管
【図１】
0004800498.tif 000002
【図２】
0004800498.tif 000003
【図３】
0004800498.tif 000004
【図４】
0004800498.tif 000005